(57)【特許請求の範囲】
【請求項１】
雌ねじ部を有する雌部材と、
前記雌ねじ部と螺合する雄ねじ部を有する雄部材と、
前記雌ねじ部及び前記雄ねじ部により回転嵌合された前記雌部材及び前記雄部材間を連接する連接部材とを備え、
前記雌部材は、前記雌ねじ部とは締め付けの回転方向が異なる雌側連結ねじ部をさらに有し、
前記雄部材は、前記雌ねじ部及び前記雄ねじ部により前記雌部材と回転嵌合させた状態において前記雌側連結ねじ部と連続して連続ねじ部を形成する、前記雄ねじ部とは締め付けの回転方向が異なる雄側連結ねじ部をさらに有し、
前記連接部材は、前記連続ねじ部と螺合し、前記雌側連結ねじ部及び前記雄側連結ねじ部間を連接する連接ねじ部を有し、
前記雄部材は、前記連続ねじ部及び前記連接ねじ部により前記連接部材を締め付けた場合に、前記連接部材の端部と当接して前記連接部材の回転を規制する雄側鍔部をさらに有し、
前記雌ねじ部、前記雄ねじ部、前記連続ねじ部及び前記連接ねじ部は、それぞれ角ねじで構成されている
鋼管杭用ねじ継手。
【請求項２】
雌ねじ部を有する雌部材と、
前記雌ねじ部と螺合する雄ねじ部を有する雄部材と、
前記雌ねじ部及び前記雄ねじ部により回転嵌合された前記雌部材及び前記雄部材間を連接する連接部材とを備え、
前記雌部材は、雌側連結ねじ部をさらに有し、
前記雄部材は、前記雌ねじ部及び前記雄ねじ部により前記雌部材と回転嵌合させた状態において前記雌側連結ねじ部と連続して連続ねじ部を形成する雄側連結ねじ部をさらに有し、
前記連接部材は、前記連続ねじ部と螺合し、前記雌側連結ねじ部及び前記雄側連結ねじ部間を連接する連接ねじ部を有し、
前記雌ねじ部及び前記雄ねじ部が右ねじの螺合構造を有し、前記連続ねじ部及び前記連接ねじ部が左ねじの螺合構造を有する、又は、前記雌ねじ部及び前記雄ねじ部が左ねじの螺合構造を有し、前記連続ねじ部及び前記連接ねじ部が右ねじの螺合構造を有し、
前記雄部材は、前記連続ねじ部及び前記連接ねじ部により前記連接部材を締め付けた場合に、前記連接部材の端部と当接して前記連接部材の回転を規制する雄側鍔部をさらに有し、
前記雌ねじ部、前記雄ねじ部、前記連続ねじ部及び前記連接ねじ部は、それぞれ角ねじで構成されている
鋼管杭用ねじ継手。
【請求項３】
前記雄側鍔部は、前記雄側連結ねじ部よりも外径が大きく、前記連接部材の回転軸方向における中心が前記雌側連結ねじ部及び前記雄側連結ねじ部の継目位置となる位置で前記連接部材の回転を規制する
請求項１又は２に記載の鋼管杭用ねじ継手。
【請求項４】
前記雌部材は、接合する２本の鋼管杭のうちの一方の鋼管杭の端部にアプセット加工により形成されたものであり、前記雄部材は、前記２本の鋼管杭のうちの他方の鋼管杭の端部にアプセット加工により形成されたものである
請求項１から３の何れかに記載の鋼管杭用ねじ継手。
【発明の詳細な説明】
【技術分野】
【０００１】
本発明は、鋼管杭用ねじ継手に関する。
【背景技術】
【０００２】
鋼管杭の継手としてねじ継手が知られている。例えば、下記の特許文献１には、鋼管端部にそれぞれ取り付けられ、雄ねじ部を有する雄継手部と、雌ねじ部を有する雌継手部と、雄継手部に螺合するリングねじを有し、雄継手部と雌継手部の間にリングねじを介在させて、雄継手部と雌継手部を所定の嵌合位置になるまで回転嵌合させて、リングねじを雌継手部側に向けて締めつけて締結完了できるようにした機械式継手について提案されている。
【０００３】
この特許文献１に開示されている機械式継手では、締結完了の際に、外リングを強く締め付けることで鋼管杭を、雄継手部と雌継手部とを嵌合させる回転（正回転）とは逆の回転（逆回転）をさせた場合でも外れにくくすることができる。
【先行技術文献】
【特許文献】
【０００４】
【特許文献１】特開２０１８−１１１９７３号公報
【発明の概要】
【発明が解決しようとする課題】
【０００５】
しかしながら、従来の鋼管杭用ねじ継手は、強い力で鋼管杭を逆回転させた場合に外れる可能性があった。例えば、特許文献１に開示されている継手の場合、リングねじの締め付けによるねじの摩擦力のみによって逆回転に耐える構造である為、それ以上の力で逆回転が行われるとねじが緩んで外れてしまうという問題がある。例えば、回転貫入鋼管杭用の継手とした場合、正回転と同様の強い力で回転貫入鋼管杭を逆回転させた場合に継手部分が緩んで外れてしまうという問題点があった。
【０００６】
したがって、本発明の目的の一つは、逆回転の力が加わっても緩まない鋼管杭用ねじ継手を提供することにある。
【課題を解決するための手段】
【０００７】
本発明は、
雌ねじ部を有する雌部材と、
前記雌ねじ部と螺合する雄ねじ部を有する雄部材と、
前記雌ねじ部及び前記雄ねじ部により回転嵌合された前記雌部材及び前記雄部材間を連接する連接部材とを備え、
前記雌部材は、前記雌ねじ部とは締め付けの回転方向が異なる雌側連結ねじ部をさらに有し、
前記雄部材は、前記雌ねじ部及び前記雄ねじ部により前記雌部材と回転嵌合させた状態において前記雌側連結ねじ部と連続して連続ねじ部を形成する、前記雄ねじ部とは締め付けの回転方向が異なる雄側連結ねじ部をさらに有し、
前記連接部材は、前記連続ねじ部と螺合し、前記雌側連結ねじ部及び前記雄側連結ねじ部間を連接する連接ねじ部を有し、
前記雄部材は、前記連続ねじ部及び前記連接ねじ部により前記連接部材を締め付けた場合に、前記連接部材の端部と当接して前記連接部材の回転を規制する雄側鍔部をさらに有し、
前記雌ねじ部、前記雄ねじ部、前記連続ねじ部及び前記連接ねじ部は、それぞれ角ねじで構成されている
鋼管杭用ねじ継手である。
【０００８】
また、本発明は、
雌ねじ部を有する雌部材と、
前記雌ねじ部と螺合する雄ねじ部を有する雄部材と、
前記雌ねじ部及び前記雄ねじ部により回転嵌合された前記雌部材及び前記雄部材間を連接する連接部材とを備え、
前記雌部材は、雌側連結ねじ部をさらに有し、
前記雄部材は、前記雌ねじ部及び前記雄ねじ部により前記雌部材と回転嵌合させた状態において前記雌側連結ねじ部と連続して連続ねじ部を形成する雄側連結ねじ部をさらに有し、
前記連接部材は、前記連続ねじ部と螺合し、前記雌側連結ねじ部及び前記雄側連結ねじ部間を連接する連接ねじ部を有し、
前記雌ねじ部及び前記雄ねじ部が右ねじの螺合構造を有し、前記連続ねじ部及び前記連接ねじ部が左ねじの螺合構造を有する、又は、前記雌ねじ部及び前記雄ねじ部が左ねじの螺合構造を有し、前記連続ねじ部及び前記連接ねじ部が右ねじの螺合構造を有し、
前記雄部材は、前記連続ねじ部及び前記連接ねじ部により前記連接部材を締め付けた場合に、前記連接部材の端部と当接して前記連接部材の回転を規制する雄側鍔部をさらに有し、
前記雌ねじ部、前記雄ねじ部、前記連続ねじ部及び前記連接ねじ部は、それぞれ角ねじで構成されている
鋼管杭用ねじ継手である。
【０００９】
本発明によれば、逆回転の力が加わっても緩まない鋼管杭用ねじ継手を提供することができる。なお、本明細書において例示された効果により本発明の内容が限定して解釈されるものではない。
【図面の簡単な説明】
【００１０】
【図１】一実施形態に係る鋼管杭用ねじ継手の構成例を示す分解斜視図である。
【図２】接合状態における鋼管杭用ねじ継手の構成例を示す斜視図である。
【図３】接合状態における鋼管杭用ねじ継手の構成例を示す切断部端面図である。
【図４】鋼管杭用ねじ継手の接合手順の一例を説明するための図である。
【図５】鋼管杭用ねじ継手の接合手順の一例を説明するための図である。
【図６】鋼管杭用ねじ継手の接合手順の一例を説明するための図である。
【図７】鋼管杭用ねじ継手の接合手順の一例を説明するための図である。
【図８】鋼管杭用ねじ継手の使用態様の一例について説明する為の図である。
【発明を実施するための形態】
【００１１】
以下、本発明の実施形態について図面を参照しながら説明する。説明は、以下の順序で行う。
＜１．一実施形態＞
＜２．変形例＞
但し、以下に示す実施形態等は、本発明の技術思想を具体化するための構成を例示するものであって、本発明は例示された構成に限定されるものではない。なお、特許請求の範囲に示される部材を、実施形態の部材に特定するものではない。特に、実施形態に記載されている構成部材の寸法、材質、形状、その相対的配置、上下左右等の方向の記載等は特に限定する旨の記載がない限りは、本発明の範囲をそれのみに限定する趣旨ではなく、単なる説明例にすぎない。なお、各図面が示す部材の大きさや位置関係等は、説明を明確にするため誇張していることがあり、また、図示が煩雑となることを防止するために、参照符号の一部のみを図示する場合もある。さらに以下の説明において、同一の名称、符号については同一もしくは同質の部材を示しており、重複する説明を適宜省略する。さらに、本発明を構成する各要素は、複数の要素を同一の部材で構成して一つの部材で複数の要素を兼用する態様としてもよいし、逆に一つの部材の機能を複数の部材で分担して実現することもできる。
【００１２】
＜１．一実施形態＞
「鋼管杭用ねじ継手の概略構造」
図１は、本発明の一実施形態に係る鋼管杭用ねじ継手の構成例を示す分解斜視図である。図２は、接合状態における鋼管杭用ねじ継手の構成例を示す斜視図である。図３は、接合状態における鋼管杭用ねじ継手の構成例を示す切断部端面図である。
【００１３】
図１に示すように、本実施形態に係る鋼管杭用ねじ継手１は、具体的には、回転貫入鋼管杭の継手であり、雌部材２と雄部材３と連接部材４とを有している。雌部材２は、雌ねじ部２１を有し、雄部材３は、雌ねじ部２１と螺合する雄ねじ部３１を有している。図３に示すように、連接部材４は、雌ねじ部２１及び雄ねじ部３１により回転嵌合された雌部材２及び雄部材３間を連接する。
【００１４】
図１に示すように、雌部材２は、雌ねじ部２１とは締め付けの回転方向が異なる雌側連結ねじ部２２をさらに有している。雄部材３は、雌ねじ部２１及び雄ねじ部３１により雌部材２と回転嵌合させた状態において雌側連結ねじ部２２と連続して連続ねじ部５を形成する、雄ねじ部３１とは締め付けの回転方向が異なる雄側連結ねじ部３２をさらに有している。連接部材４は、連続ねじ部５と螺合し、雌側連結ねじ部２２及び雄側連結ねじ部３２間を連接する連接ねじ部４１を有している。
【００１５】
以下、この鋼管杭用ねじ継手１を構成する雌部材２、雄部材３及び連接部材４について詳述する。
【００１６】
「雌部材」
雌部材２は、図１に示すように、管状に構成され、一方の開口側に接合部２３を有している。接合部２３は、接合する一方の鋼管杭（図示略）の端部と接合される。例えば、接合部２３は、溶接によって鋼管杭と接合される。雌部材２は、具体的には、接合部２３における外径及び内径が、接合される鋼管杭と同径となっている。雌部材２の他方の開口側には、前述した雌ねじ部２１及び雌側連結ねじ部２２が形成されている。
【００１７】
雌ねじ部２１は、後述する雄部材３の雄ねじ部３１と螺合する。具体的には、雌ねじ部２１は、図１に示すように、雌部材２の他方の開口側の内面に右ねじ状の凹凸を形成することで設けられる。より具体的には、雌ねじ部２１は、図３に示すように、ねじ山の断面が方形（ねじ溝も同様）の角ねじによって構成される。角ねじ構造とすることで、断面が台形や三角等の他のねじ構造とした場合と比較して接合強度、例えば、接合後の鋼管杭の曲げ強度を高めることができる。雌ねじ部２１を形成する為の各要素、例えば、雌ねじ部２１の凹凸形状（ねじ山及びねじ溝）を決める各寸法、条数、ピッチ等は、接合強度や耐久性等の所定の条件に応じて適宜選定される。
【００１８】
雌側連結ねじ部２２は、連接部材４の連接ねじ部４１と螺合する。具体的には、雌側連結ねじ部２２は、図１に示すように、雌部材２の他方の開口側の外面に左ねじ状の凹凸を形成することで設けられる。より具体的には、雌側連結ねじ部２２は、図３に示すように、雌ねじ部２１と同様、角ねじによって構成される。雌側連結ねじ部２２を形成する為の各要素は、雌ねじ部２１と同様、所定の条件に応じて適宜選定される。
【００１９】
図１から図３の各図に示すように、例えば、雌側連結ねじ部２２の外径は、接合部２３の外径よりも小さい構成を有しており、雌部材２の雌側連結ねじ部２２及び接合部２３間には、雌側鍔部２４が形成されている。雌側鍔部２４は、雌側連結ねじ部２２への連接ねじ部４１のねじ込みの回転を規制する。具体的には、連接部材４は、接合部２３側の開口端部が雌側鍔部２４に当接することで回転が規制される。例えば、雌部材２は、雌側連結ねじ部２２及び雌側鍔部２４により、連接部材４の内面の全てをねじ込める構造とすることが好ましい。これにより、例えば、後述する接合作業を行い易くすることができる。なお、この雌部材２における連接部材４の回転を規制する構造は、雌側鍔部２４によるものに限らない。例えば、雌側連結ねじ部２２のねじ形状等により規制する構造であってもよい。
【００２０】
「雄部材」
雄部材３は、図１に示すように、管状に構成され、一方の開口側に接合部３３を有している。接合部３３は、接合する他方の鋼管杭（図示略）の端部と接合される。例えば、接合部３３は、溶接によって鋼管杭と接合される。雄部材３は、具体的には、接合部３３における外径及び内径が、接合される鋼管杭と同径となっている。雄部材３の他方の開口側には、前述した雄ねじ部３１及び雄側連結ねじ部３２が形成されている。
【００２１】
雄ねじ部３１は、前述した雌部材２の雌ねじ部２１と螺合する。具体的には、雄ねじ部３１は、図１に示すように、雄部材３の他方の開口側の外面に右ねじ状の凹凸を形成することで設けられる。より具体的には、雄ねじ部３１は、図３に示すように、雌ねじ部２１と同様、角ねじによって構成される。雄ねじ部３１を形成する為の各要素は、雌ねじ部２１と同様、所定の条件に応じて適宜選定される。
【００２２】
雄側連結ねじ部３２は、連接部材４の連接ねじ部４１と螺合する。具体的には、雄側連結ねじ部３２は、図１に示すように、雄部材３の他方の開口側における雄ねじ部３１よりも接合部３３側の外面に左ねじ状の凹凸を形成することで設けられる。なお、雄側連結ねじ部３２を形成する為の各要素は、前述した雌側連結ねじ部２２と同じとされる。
【００２３】
図１及び図３に示すように、例えば、前述した雄ねじ部３１の外径は、雄側連結ねじ部３２の外径よりも小さい構成を有しており、雄部材３の雄ねじ部３１及び雄側連結ねじ部３２間には、段差部３４が形成されている。段差部３４は、雌ねじ部２１への雄ねじ部３１のねじ込みの回転を規制する。具体的には、雄部材３は、接合部３３側の雌部材２の開口端部が段差部３４に当接することで回転が規制される。例えば、雄部材３は、雄側連結ねじ部３２及び段差部３４により、連接部材４と同じ分だけ雌部材２にねじ込める構造とすることが好ましい。これにより、接合状態での雌部材２側と雄部材３側の強度や耐久性等を均等にすることができる。なお、この雌部材２に対する雄部材３の回転を規制する構造は、段差部３４によるものに限らない。例えば、雄ねじ部３１のねじ形状等により規制する構造であってもよい。
【００２４】
図３に示すように、雌側連結ねじ部２２及び雄側連結ねじ部３２は、雌ねじ部２１と雄ねじ部３１とが螺合して雌部材２と雄部材３とが回転嵌合された状態（具体的には、段差部３４により雌部材２に対する雄部材３のねじ込みの回転が規制された状態）において連続する連続ねじ部５を形成する。この連続ねじ部５を形成する雌側連結ねじ部２２及び雄側連結ねじ部３２間の連続構造は、雌側連結ねじ部２２及び雄側連結ねじ部３２に連接ねじ部４１を螺合させた連接部材４を回転可能なものであればよく、例えば、雌側連結ねじ部２２及び雄側連結ねじ部３２間に逃げ溝を有していてもよい。
【００２５】
図１及び図３に示すように、例えば、前述した雄側連結ねじ部３２の外径は、接合部３３の外径よりも小さい構成を有しており、雄部材３の雄側連結ねじ部３２及び接合部３３間には、雄側鍔部３５（本実施形態に係る回転規制部）が形成されている。雄側鍔部３５は、雄側連結ねじ部３２への連接ねじ部４１のねじ込みの回転を規制する。具体的には、連接部材４は、接合部３３側の開口端部が雄側鍔部３５に当接することで回転が規制される。例えば、雄部材３は、雄側連結ねじ部３２及び雄側鍔部３５により、連接部材４の内面の半分をねじ込める構造とすることが好ましい。これにより、連接部材４の回転軸方向における中心が雌側連結ねじ部２２及び雄側連結ねじ部３２の継目部に位置する位置で連接部材４の回転を規制することができ、接合状態での強度や耐久性等を高めることができる。なお、この雄部材３における連接部材４の回転を規制する回転規制部の構造は、雄側鍔部３５によるものに限らない。例えば、雄側連結ねじ部３２のねじ形状等により規制する構造であってもよい。
【００２６】
「連接部材」
連接部材４は、図１に示すように、リング状に構成されている。この連接部材４には、連接ねじ部４１が形成されている。連接ねじ部４１は、連結ねじ部５と螺合する。具体的には、連接ねじ部４１は、図１に示すように、連接部材４の内面に左ねじ状の凹凸を形成することで設けられる。なお、図示した例では、接合状態での強度や耐久性等を得るべく、連接部材４の外径は、鋼管杭の外径よりも大きく構成しているが、強度や耐久性等が得られるのであれば、鋼管杭と同じに構成してもよい。
【００２７】
このように、鋼管杭用ねじ継手１では、雌ねじ部２１及び雄ねじ部３１により雄部材３が雌部材２に対して回転嵌合され、連続ねじ部５及び連接ねじ部４１により連接部材４が雌部材２及び雄部材３に対して回転嵌合される。なお、具体的には、各回転の軸は同軸となっている。そして、鋼管杭用ねじ継手１では、雌ねじ部２１と雌側連結ねじ部２２とは締め付けの回転方向が異なっている。また、雄ねじ部３１と雄側連結ねじ部３２とは締め付けの回転方向が異なっている。詳述すると、雌ねじ部２１及び雄ねじ部３１は、右ねじ状の凹凸で形成されている、つまり右ねじの螺合構造を有する為、雄部材３は、雌部材２に対して時計回り（右回り）の回転で締め付けられ、反時計回り（左回り）の回転で緩められる。一方、連続ねじ部５（雌側連結ねじ部２２及び雄側連結ねじ部３２）及び連接ねじ部４は、左ねじ状の凹凸で形成されている、つまり左ねじの螺合構造を有している。その為、雌部材２は、連接部材４に対して反時計回り（左回り）の回転で締め付けられ、時計回り（右回り）の回転で緩められる。また、雄部材３は、連接部材４に対して反時計回り（左回り）の回転で締め付けられ、時計回り（右回り）の回転で緩められる。以下、この雌部材２と雄部材３とが締め付けられる回転を正回転とし、緩められる回転を逆回転として説明する。なお、本実施形態では、前述した構造を例示するが、雌ねじ部２１及び雄ねじ部３１を左ねじの螺合構造を有するものとし、連続ねじ部５（雌側連結ねじ部２２及び雄側連結ねじ部３２）及び連接ねじ部４を右ねじの螺合構造を有するものとしてもよい。
【００２８】
「鋼管杭用ねじ継手の接合手順」
図４から図７は、鋼管杭用ねじ継手１の接合手順の一例を説明するための図である。鋼管杭用ねじ継手１による接合を行う場合、図４に示すように、まず、連接部材４を雌部材２に回転嵌合させる。具体的には、連接部材４に対して雌部材２が逆回転する方向（図４に示す矢印方向）に連接部材４を回転させ、連接部材４が雌側鍔部２４に当接し、回転が規制されるまでねじ込む。これにより、図５に示す状態となる。
【００２９】
次に、図６に示すように、この連接部材４が回転嵌合された雌部材２に雄部材３を回転嵌合させる。具体的には、雌部材２に対して雄部材３が正回転する方向（図６に示す矢印方向）に雄部材２を回転させ、雌部材２が段差部３４に当接し、回転が規制されるまでねじ込む。この際、雌ねじ部２１及び雄ねじ部３１間の隙間によるガタが生じないように強固に締め込みを行う。これにより、図７に示す状態となる。
【００３０】
最後に、図７に示すように、連接部材４を雄部材３に回転嵌合させる。具体的には、連接部材４に対して雄部材３が逆回転する方向（図７に示す矢印方向）に連接部材４を回転させ、連接部材４が雄側鍔部３５に当接し、回転が規制されるまでねじ込む。この際、雄側連結ねじ部３２及び連接ねじ部４１間の隙間によるガタが生じないように強固に締め込みを行う。これにより、図２及び図３に示す状態となり、鋼管杭用ねじ継手１による接合が完了する。
【００３１】
「鋼管杭用ねじ継手の主な作用効果」
本実施形態に係る鋼管杭用ねじ継手１では、雌部材２と雄部材３とは、正回転方向の回転によって締め付けられ、逆回転方向の回転によって緩められる。一方、連接部材４と雌部材２及び雄部材３とは、それぞれ逆回転方向の回転によって締め付けられ、正回転方向の回転によって緩められる。また、連接部材４の連接ねじ部４１は、雌側連結ねじ部２２及び雄側連結ねじ部３２間を連接する。
【００３２】
その為、雌部材２及び雄部材３に逆回転方向の力が加わって雌部材２と雄部材３とが緩もうとしても、連接部材４は、その逆回転方向の力で雄部材３に締め付けられるので緩むことがない。連接部材４の連接ねじ部４１は、雌側連結ねじ部２２及び雄側連結ねじ部３２間を連接しているので、連接部材４が緩まないことで、雌部材２と雄部材３とが緩むことはない。なお、言うまでもないが、雌部材２及び雄部材３に正回転方向の力が加わった場合には、雌部材２と雄部材３とが締まるので雌部材２と雄部材３とが緩むことはない。
【００３３】
つまり、本実施形態に係る鋼管杭用ねじ継手１によれば、正回転及び逆回転のいずれの力が加わっても緩まない構造とすることができる。つまり、外れない構造とすることができる。具体的には、回転貫入鋼管杭用の継手とした場合、正回転と同様の強い力で回転貫入鋼管杭を逆回転させた場合であっても継手部分が緩んで外れてしまうことがない。
【００３４】
「使用態様の一例」
図８は、鋼管杭用ねじ継手１の使用態様の一例について説明する為の図である。本実施形態に係る鋼管杭用ねじ継手１は、前述したように、回転貫入鋼管杭の接合に適している。以下、図８を参照して、鋼管杭用ねじ継手１を用いた回転貫入鋼管杭の接合の概略手順について説明する。
【００３５】
図８に示すように、２本の回転貫入鋼管杭６，７を接合する場合、埋設の際に上端部となる一端側に雌部材２が設けられた回転貫入鋼管杭（下杭）６と、下端部となる一端側に雄部材３が設けられた回転貫入鋼管杭（上杭）７（図８Ｃ参照）とを準備する。例えば、雌部材２及び雄部材３は、それぞれ工場等で予め下杭６及び上杭７に溶接される。なお、図示するように、下杭６の下端部となる他端側には貫入用の羽根が設けられている。
【００３６】
図８Ａに示すように、まず、下杭６を杭打機等の機械（図示略）に取り付ける。なお、図示した例では、既に雌部材２に連接部材４が回転嵌合されている。連接部材４は、下杭６を埋設する現場において雌部材２に回転嵌合させてもよいが、溶接により雌部材２を下杭６に設ける場合には、溶接現場にて雌部材２に連接部材４を回転嵌合させた状態で溶接を行っておくことが好ましい。これにより、溶接の影響を抑えることができる。なお、連接部材４は、後述する下杭６及び上杭７の接合の際に雌部材２に回転嵌合させてもよい。
【００３７】
次に、図８Ｂに示すように、前述した機械を用いて下杭６を回転貫入させる。具体的には、下杭６を正回転方向に回転させて地中に貫入させる。次に、図８Ｃに示すように、鋼管杭用ねじ継手１により下杭６に上杭７を接合する。この接合手順は、前述した通りである。
【００３８】
具体的には、雌部材２に雄部材３を回転嵌合させる際、前述した機械に上杭７を取り付け、雌部材２と雄部材３とを機械の回転（具体的には、正回転方向の回転）による力で嵌め合わせる。鋼管杭の接合の場合、鋼管柱等のように複数カ所に杭打ちを行う場合の各鋼管における回転嵌合の位置合わせ（例えば、梁接合部の位置合わせ）を行う必要がないので機械により強固に締め付けることができる。一方、例えば、雌部材２及び雄部材３に連接部材４を回転嵌合させる際は、手（人の力）で行う。なお、雄部材３に連接部材４を回転嵌合させる際の最後の締め付けは治具を用いることで連接部材４を雄部材３に強く締め付けることができる。
【００３９】
鋼管杭用ねじ継手１により下杭６と上杭７とを接合後、前述した機械を用いて上杭７を回転貫入させる。具体的には、上杭７を正回転方向に回転させて地中に貫入させる。なお、この回転貫入の過程において、前述した雌部材２への雄部材３の回転嵌合を行ってもよい。つまり、機械を用いて上杭７を回転貫入させることで、雌部材２に雄部材３を回転嵌合させ、回転貫入の途中で雄部材３に連接部材４を回転嵌合させてもよい。これにより、工数を減らすことができる。
【００４０】
そして、図８Ｄに示すように、上杭７の回転貫入により所定の杭位置（例えば、図示するように下杭６が支持層に貫入する位置）まで下杭６及び上杭７を貫入させて下杭６及び上杭７の埋設を完了する。なお、鋼管杭用ねじ継手１によって接合する杭の本数は、図８に例示した下杭６及び上杭７の２本に限らず、３本以上であってもよい。３本以上の場合には、中杭の上端部となる一端側に雌部材２を設け、下端部となる他端側に雄部材３を設けるようにすればよい。
【００４１】
前述したように、通常は、正回転方向の回転にて下杭６及び上杭７を貫入させるが、所定の杭位置までの中間に介在物やＮ値（標準貫入試験値）が高い層等があり、貫入が滞るような場合には、正回転方向の回転と逆回転方向の回転とを繰り返し行うことで貫入させることがある。その為、回転貫入鋼管杭の継手部には正回転と逆回転とで同等の強度が求められる。本実施形態に係る鋼管杭用ねじ継手１によれば、前述した構造を有することで、貫入作業において正回転と同等の力で逆回転を行っても雌部材２と雄部材３とが緩まず外れない為、貫入作業を良好に行うことができる。
【００４２】
一方で、支持層には不陸がある為、複数個所に杭打ちを行う場合、各鋼管杭の貫入長は各々異なる傾向が強い。その為、支持層が予定よりも深かった場合には低止まりとなり、予定よりも浅かった場合には高止まりとなる。低止まりした杭には継杭を行い、高止まりした杭は切断することで各鋼管杭の長さを調整することができる。この低止まりや高止まりに対応するに際し、貫入後に継手部を外したい場合がある。本実施形態に係る鋼管杭用ねじ継手１によれば、前述した構造を有することで、前述した接合手順とは逆の手順により継手部を外すことができ、このような場合においても貫入作業を良好に行うことができる。具体的には、連接部材４に対して雄部材３が正回転する方向に連接部材４を回転させて雌部材２側に移動させた後、雌部材２と雄部材３とを逆回転方向に回転させることで雌部材２と雄部材３との接続を外し、その後、連接部材４に対して雌部材２が正回転する方向に連接部材４を回転させることで雌部材２と連接部材４との接続を外すことができ、接合前の状態に戻すことができる。
【００４３】
なお、将来、貫入した杭を抜く必要が生じた場合、下杭６及び上杭７を逆回転方向に回転させることで下杭６及び上杭７を抜くことができるが、このような場合における逆回転においても雌部材２と雄部材３とが緩まず外れない為、引抜作業を良好に行うことができる。また、引き抜きに伴い前述したようにして各部材を外すことができる。
【００４４】
＜２．変形例＞
以上、本発明の好適な実施形態について具体的に説明したが、本発明の内容は前述した実施形態に限定されるものではなく種々の変形が可能である。
【００４５】
例えば、前述した一実施形態では、雌部材２及び雄部材３が鋼管杭と別構造であるものについて例示したが、雌部材２及び雄部材３は、鋼管杭と一体的な構造であってもよい。この場合、接合する２本の鋼管杭のうちの一方の鋼管杭自体が雌部材ということになり、他方の鋼管杭自体が雄部材ということになる。例えば、アプセット加工により肉厚とされた一方の鋼管杭の端部及び他方の鋼管杭の端部に、それぞれ、前述した構造の雌部材２及び雄部材３を形成することができる。これにより、雌部材２が設けられた鋼管杭と、雄部材３が設けられた鋼管杭とを、それぞれ溶接や圧着を行わない一体成形品とすることができる。したがって、この場合、雌部材２及び雄部材３が鋼管杭と別構造である場合に生じ得る、雌部材２及び雄部材３と各鋼管杭との接合に起因する不具合（例えば、溶接技術のばらつきによる不具合）が生じることがない。
【符号の説明】
【００４６】
１・・・鋼管杭用ねじ継手、２・・・雌部材、３・・・雄部材、４・・・連接部材、５・・・連続ねじ部、２１・・・雌ねじ部、２２・・・雌側連結ねじ部、３１・・・雄ねじ部、３２・・・雄側連結ねじ部、４１・・・連接ねじ部
【要約】
【課題】逆回転の力が加わっても緩まない鋼管杭用ねじ継手を提供する。
【解決手段】雌ねじ部を有する雌部材と、雌ねじ部と螺合する雄ねじ部を有する雄部材と、雌ねじ部及び雄ねじ部により回転嵌合された雌部材及び雄部材間を連接する連接部材とを備え、雌部材は、雌ねじ部とは締め付けの回転方向が異なる雌側連結ねじ部をさらに有し、雄部材は、雌ねじ部及び雄ねじ部により雌部材と回転嵌合させた状態において雌側連結ねじ部と連続して連続ねじ部を形成する、雄ねじ部とは締め付けの回転方向が異なる雄側連結ねじ部をさらに有し、連接部材は、連続ねじ部と螺合し、雌側連結ねじ部及び雄側連結ねじ部間を連接する連接ねじ部を有する鋼管杭用ねじ継手とする。
【選択図】図１【図１】
0006733978.tif 000002
【図２】
0006733978.tif 000003
【図３】
0006733978.tif 000004
【図４】
0006733978.tif 000005
【図５】
0006733978.tif 000006
【図６】
0006733978.tif 000007
【図７】
0006733978.tif 000008
【図８】
0006733978.tif 000009